(57)【特許請求の範囲】
【請求項１】
遊技機での入賞遊技に応じて払い出される遊技媒体である賞出媒体を整列させつつ送る導入経路を有し、導入経路の終端側に設けた計数センサ手段によって導入経路内で整列された賞出媒体を計数する賞出媒体計数器において、
前記導入経路の終端部に、該導入経路とは略直角方向に湾曲している湾曲整列レール部を前記導入経路の終端側に各整列レール毎に対応させて設けた、
ことを特徴とする賞出媒体計数器。
【請求項２】
遊技機での入賞遊技に応じて払い出される遊技媒体である賞出媒体を整列させつつ送る導入経路を有し、導入経路の終端側に設けた計数センサ手段によって導入経路内で整列された賞出媒体を計数する賞出媒体計数器において、
前記導入経路の始端から終端に亘って、前記賞出媒体が一列にそれぞれ整列した状態で流下する複数の整列レールを相互に並列させて配設し、各整列レールの間に仕切りガイドを設け、導入経路の終端部に、前記導入経路から挿入された弾性構造体が前記計数センサ手段に到達不可能に前記該導入経路と略直角方向に湾曲している湾曲整列レール部を前記導入経路の終端側に各整列レール毎に対応させて設け、前記計数センサ手段を前記導入経路の終端側に各整列レール毎に対応させて設けた、
ことを特徴とする賞出媒体計数器。
【発明の詳細な説明】
【０００１】
【産業上の利用分野】
本発明は、遊技機での入賞遊技に応じて払い出される遊技媒体である賞出媒体を整列させつつ送る導入経路を有し、導入経路内で整列された賞出媒体を計数するための計数センサ手段を有し、導入経路から挿入される弾性構造体を用いた不正行為を防止可能な賞出媒体計数器に関し、特に、パチンコ遊技機での入賞遊技に応じて払い出される遊技玉である賞出媒体を整列させつつ送る導入経路を有し、導入経路内で整列された賞出媒体を計数するための計数センサ手段（ＬＥＤおよびホトダイオードを用いた光学的計数手段）を有し、導入経路から挿入される弾性構造体（主として熊手状のセル板による不正手段）を用いた不正行為を防止可能な賞出媒体計数器に関する。
【０００２】
【従来の技術】
遊技盤面上に遊技媒体を打出して入賞を競う遊技機（主として、パチンコ遊技機）において入賞に応じ入賞媒体として払い出された賞出媒体（主として、遊技玉）の計数を実行する賞出媒体計数器において、従来から行われている遊技媒体計数に係る不正行為としては、弾性構造体（主として熊手状のセル板による不正手段）を挿入して賞出媒体の計数を過大にカウントアップさせることによって、不当な賞出媒体計数値を得るものがあった。
【０００３】
弾性構造体（熊手状のセル板）とは、熊の手のような形をした板の先端（つまり、指先）に各々発光ダイオードが所定方向に設けられ、これらの発光ダイオードの点滅を操作する制御部が手元に設けられた不正手段である。
【０００４】
このような不正手段としての弾性構造体（熊手状のセル板）を用いた不正としては以下、＜不正１＞〜＜不正３＞に示すような具体的な手段が実行されていた。
【０００５】
＜不正１＞  弾性構造体（熊手状のセル板）を挿入し手動で前後に動かして点滅信号（不正信号）を生成して、賞出媒体計数器における賞出媒体の計数を実行するための計数センサ手段の発光部（例えば、発光ダイオード）の発光信号（計数信号）を、弾性構造体（熊手状のセル板）の発光ダイオードに生成させた点滅信号（不正信号）に故意にすり替えて、賞出媒体計数器を過大にカウントアップさせることによって、不当な賞出媒体計数値を得るものがあった。
【０００６】
＜不正２＞  弾性構造体（熊手状のセル板）の先端を電気剃刀（シェーバー）等のモータを用いて回転させるようにしたものを用い、不正者は弾性構造体（熊手状のセル板）を賞出媒体計数器の整列レール（計数レーン）に沿って、賞出媒体計数器の計数センサ手段の発光部（例えば、発光ダイオード）まで挿入し、モータのスイッチをＯＮして、弾性構造体（熊手状のセル板）先端の発光ダイオードを回転させて点滅信号（不正信号）を生成させて、点滅信号（不正信号）を賞出媒体計数器の計数センサ手段の受光部（例えば、ホトダイオード）へ入射させて、自動的に賞出媒体計数器の賞出媒体計数値を過大にカウントアップさせることによって、不当な遊技媒体計数値を得るものがあった。
【０００７】
＜不正３＞  弾性構造体（熊手状のセル板）を賞出媒体計数器の整列レール（計数レーン）に沿って賞出媒体計数器の計数センサ手段の発光部（例えば、発光ダイオード）まで挿入し、手元の制御部を用いて弾性構造体（熊手状のセル板）先端の発光ダイオードの点滅速度（単位時間当たりの点滅回数）を調節して点滅信号（不正信号）を生成させて、賞出媒体計数器の計数センサ手段の受光部への発光信号（計数信号）を弾性構造体（熊手状のセル板）の発光ダイオードの点滅信号（不正信号）に故意にすり替えて、自動的に賞出媒体計数器の賞出媒体計数値を過大にカウントアップさせることによって、不当な遊技媒体計数値を得るものがあった。
【０００８】
このため、発光ダイオードの点滅速度を手元の制御部で調節することにより、短時間に効率よく賞出媒体計数値の不正が巧妙に実行されていた。
【０００９】
弾性構造体（熊手状のセル板）を挿入して賞出媒体の計数を過大にカウントアップさせる不正は、遊技場の管理者が巡回し、遊技機毎の遊技状態（例えば、大当り入賞やフィーバ入賞を数）に対する賞出媒体数を観察することによって、不正を監視および発見することが行われていた。
【００１０】
また、賞出媒体計数器からの賞出媒体計数値に代えて、架空（不当かつ過大な）の賞出媒体計数値を故意に発生させる不正が行われた場合、景品ＰＯＳと照合しても賞出媒体計数器関係に不正があったことをその場で判明できないことが多く、当当該架空（不当かつ過大な）の賞出媒体計数値に応じた景品の払出しがされていた。
【００１１】
【発明が解決しようとする課題】
しかしながら、従来から行われている遊技場管理者の巡回による監視および発見では、弾性構造体（熊手状のセル板）を挿入して賞出媒体の計数を過大にカウントアップさせる不正は賞出媒体計数器毎に行われるため、賞出媒体計数値の不正の発見は遊技機毎の遊技状態（例えば、大当り入賞やフィーバ入賞の数）に対する賞出媒体数や賞出媒体計数値の観察に専ら頼っているが、遊技状態にある多くの遊技機に対して一つ一つ人海戦術で監視することは難しいという問題点があった。
【００１２】
また、弾性構造体（熊手状のセル板）を挿入して賞出媒体の計数を過大にカウントアップさせる不正が行われた場合、遊技状態にある多くの遊技機および賞出媒体計数器に対して一日に何回も景品ＰＯＳと照合して賞出媒体計数器関係の不正を逐次監視することは難しいという問題点があった。
【００１３】
本発明は、このような従来技術が有する問題点に着目してなされたもので、導入経路から挿入された弾性構造体が計数センサ手段に到達不可能な程度の曲率（略直角方向に湾曲）を有する湾曲整列レール部を導入経路の終端側に各整列レール毎に対応させて設けて、弾性構造体を計数センサ手段まで挿入できなくすることによって、賞出媒体の計数を過大にカウントアップさせる不正を防止できる賞出媒体計数器を提供することを目的としている。
【００１４】
【課題を解決するための手段】
かかる目的を達成するための要旨とするところは、以下の２項に存する。
【００１５】
［１］項  遊技機での入賞遊技に応じて払い出される遊技媒体である賞出媒体（１２ａ）を整列させつつ送る導入経路（１７）を有し、導入経路（１７）の終端側に設けた計数センサ手段（４０）によって導入経路（１７）内で整列された賞出媒体（１２ａ）を計数する賞出媒体計数器（１０）において、
前記導入経路（１７）の終端部に、該導入経路（１７）とは略直角方向に湾曲している湾曲整列レール部（３５）を前記導入経路（１７）の終端側に各整列レール（１８）毎に対応させて設けた、
ことを特徴とする賞出媒体計数器（１０）。
【００１６】
［２］項  遊技機での入賞遊技に応じて払い出される遊技媒体である賞出媒体（１２ａ）を整列させつつ送る導入経路（１７）を有し、導入経路（１７）の終端側に設けた計数センサ手段（４０）によって導入経路（１７）内で整列された賞出媒体（１２ａ）を計数する賞出媒体計数器（１０）において、
前記導入経路（１７）の始端から終端に亘って、前記賞出媒体（１２ａ）が一列にそれぞれ整列した状態で流下する複数の整列レール（１８）を相互に並列させて配設し、各整列レール（１８）の間に仕切りガイド（１６）を設け、導入経路（１７）の終端部に、前記導入経路（１７）から挿入された弾性構造体が前記計数センサ手段（４０）に到達不可能に前記該導入経路（１７）と略直角方向に湾曲している湾曲整列レール部（３５）を前記導入経路（１７）の終端側に各整列レール（１８）毎に対応させて設け、前記計数センサ手段（４０）を前記導入経路（１７）の終端側に各整列レール（１８）毎に対応させて設けた、
ことを特徴とする賞出媒体計数器（１０）。
【００１７】
【作用】
遊技機での入賞遊技に応じて払い出される遊技媒体である賞出媒体（１２ａ）は導入経路（１７）に入ると、当該導入経路（１７）の始端から終端に亘り複数並列状に配設された各整列レール（１８，…，１８）上に、レール間の仕切りガイド（１６）によって振分けられて、賞出媒体（１２ａ）は各整列レール（１８，…，１８）毎に一列に整列した状態で導入経路（１７）の終端側に送られる。
【００１８】
それにより、多量の賞出媒体（１２ａ）が複数列をなして各整列レール（１８，…，１８）毎に設けられた計数センサ手段（４０）まで送られ、一度に複数の賞出媒体（１２ａ）を円滑かつ迅速に計数することができる。
【００１９】
なお、前記導入経路（１７）の始端の手前に賞出媒体（１２ａ）の取込ステージ（１４）を設け、当該取込ステージ（１４）と前記導入経路（１７）の始端との間に開閉可能なシャッタ部材（２０）を設ければ、当該シャッタ部材（２０）の開閉によって前記導入経路（１７）の導入されるパチンコ量を任意に調整することができる。
【００２０】
また、各整列レール（１８，…，１８）の間に設けた各仕切りガイド（１６）の上端縁（１６ａ）を、始端側から終端側に行くにした当該賞出媒体（１２ａ）の各整列レール（１８，…，１８）間の振分けを阻止すべく上方に高くなる傾斜をつけて延設すれば、計数センサ手段（４０）付近における所謂、ブリッジ減少を防止することができる。
【００２１】
導入経路（１７）の終端側に各整列レール（１８）毎に対応させて設けられた湾曲整列レール部（３５）は、導入経路（１７）から挿入された弾性構造体が前記計数センサ手段（４０）に到達不可能な程度の曲率を有している。
【００２２】
これにより、導入経路から弾性構造体を計数センサ手段（４０）まで挿入できなくなり、賞出媒体（１２ａ）の計数を過大にカウントアップさせる不正を防止できる。
【００２３】
さらに、遊技場の管理者が巡回し、遊技機毎の遊技状態（例えば、大当り入賞やフィーバ入賞を数）に対する賞出媒体数を観察することなく、不正を監視および発見することが可能となる。
【００２４】
なお、導入経路（１７）の終端側に、排出された賞出媒体（１２ａ）を下方に導く筒状のダンパ部材（５０）を連結すれば、賞出媒体（１２ａ）の落下力を減殺することも可能となる。
【００２５】
【実施例】
以下、図面に基づき本発明の一実施例を説明する。図１は、本発明の一実施例である賞出媒体計数器の平面図である。
【００２６】
本実施例における賞出媒体計数器１０は、パチンコ遊技機での入賞遊技に応じて払い出される遊技玉である賞出媒体１２ａを整列させつつ送る導入経路１７を有し、導入経路１７内で整列された賞出媒体１２ａを計数するための計数センサ手段４０（ＬＥＤおよびフォトダイオードを用いた光学的計数手段）を有し、導入経路１７からの弾性構造体（主として熊手状のセル板による不正手段）の挿入を阻止する湾曲整列レール部３５を有し、導入経路１７から挿入される弾性構造体（主として熊手状のセル板による不正手段）を用いた不正行為を防止するものであって、図１に示すように、賞出媒体計数器１０、賞出媒体１２ａ、取込ステージ１４、仕切りガイド１６、導入経路１７、整列レール１８、シャッタ部材２０、揺動体３０、湾曲整列レール部３５、計数センサ手段４０、ダンパ部材（図示せず）、等を備えて成る。
【００２７】
複数の整列レール１８は、導入経路１７の始端から終端に亘って、賞出媒体１２ａが一列にそれぞれ整列した状態で流下するように、相互に並列させて配設されている。また、仕切りガイド１６は、各整列レール１８の間に設けられている。
【００２８】
湾曲整列レール部３５は、導入経路から挿入された弾性構造体が計数センサ手段４０に到達不可能な程度の曲率を有し、導入経路１７の終端側に各整列レール１８毎に対応させて設けられている。
【００２９】
計数センサ手段４０は、導入経路１７の終端側に各整列レール１８毎に対応させて設けてある。
【００３０】
以下に本実施例の賞出媒体計数器１０の構成について、図１を用いて具体的に説明する。
取込ステージ１４は、賞出媒体１２ａを所定量貯留できる容積を有しており、その入口１４ａは遊技機の玉取入口に連通しており、また、出口１４ｂは、入口１４ａとは略直角に方向を変えて導入経路１７の始端に接続している。図１に示すように、取込ステージ１４は支持ブラケット１１に揺動可能に支持されている。
【００３１】
取込ステージ１４は、その入り口１４ａから出口１４ｂにかけての傾斜をアーム部材１３により調整可能に設けられている。なお、アーム部材１３の一端部は、支持ブラケット１１に枢軸１２を介して揺動可能に枢支され、アーム部材１３の他端部は、ステージ台６０の底面部裏側に固設されている。
【００３２】
図１に示すように、取込ステージ１４の出口１４ｂと、導入経路１７の始端との間には、開閉可能なシャッタ部材２０が設けられてもよい。シャッタ部材２０は、駆動手段であるロータリーソレノイド（図示せず）により、開状態（図１で実線で示す）と閉状態（図１で想像線で示す）とに任意に変位させることができ、閉状態の際に取込ステージ１４内の賞出媒体１２ａが導入経路１７に流れるのを阻止する役割を果たすものである。
【００３３】
なお、シャッタ部材２０は通常は閉状態になるべく設定されている。本実施例では、シャッタ部材２０の駆動手段としてロータリーソレノイド（図示せず）を使うが、駆動手段はこれに限られるものではなく、例えば、単なるソレノイドやモータ等であってもよい。
【００３４】
また、図１に示すように、各整列レール１８の始端側の上方には、各整列レール１８に対応して揺動体３０が設けられている。揺動体３０は、外周面が円筒面とされたもので、導入経路１７内に重なって流入した賞出媒体のうち２段目以上の上層の賞出媒体に当接する位置で揺動するよう、各整列レール１８の上方にそれぞれ配設され、両サイド板１５，１５の上部に設けられた水平軸３１に偏心させて回転自在に取付けられている。そして、この揺動体３０において、水平軸３１と反対に偏心した側には、この側に顕著に重心が偏るよう重り（図示せず）が取付けられている。但し、揺動体３０は設けなくてもよいものである。
【００３５】
導入経路１７は、横４列に並列させて配した４本の整列レール１８，…，１８と、各整列レール１８の間に設けた計３本の仕切りガイド１６，…，１６と、これらの幅方向における両側に設けたサイド板１５，１５とを具備して成る。
【００３６】
図１に示すように、各整列レール１８，…，１８は、その始端側から終端側にかけて賞出媒体１２ａが自然流下すべく下方に低くなるよう傾斜させて配設されている。
【００３７】
導入経路１７の各整列レール１８，…，１８は、それぞれ取込ステージ１４から流入した賞出媒体１２ａを一列に整列した状態にして湾曲整列レール部３５に送るものである。
【００３８】
導入経路１７の整列レール１８，…，１８および湾曲整列レール部３５に設けられた各仕切りガイド１６は、その上端縁１６ａが、始端側から終端側に行くに従い賞出媒体１２ａの各整列レール１８，…，１８間の振分けを阻止すべく上方に高くなる傾斜をつけて延設されている。
【００３９】
即ち、導入経路１７の各仕切りガイド１６の上端縁１６ａの高さは、取込ステージ１４の底面部の高さと同じであるが、上端縁１６ａの高さは、払出ステージ１９の方向に向かって徐々に高くなるように延設されている。
【００４０】
導入経路１７の終端には、湾曲整列レール部３５の入口が連通している。本実施例の湾曲整列レール部３５は、導入経路１７からの弾性構造体（主として熊手状のセル板による不正手段）の挿入を阻止可能なように導入経路１７とは略直角方向に湾曲されている。
【００４１】
湾曲整列レール部３５は、各整列レール１８，…，１８から流入した賞出媒体１２ａを一列に整列した状態にして払出ステージ１９に送るものである。
【００４２】
湾曲整列レール部３５は、横４列に並列させて配した４本の整列レール１８，…，１８と、各整列レール１８の間に設けた計３本の仕切りガイド１６，…，１６と、これらの幅方向における両側に設けたサイド板１５，１５とを具備して成る。図１に示すように、各整列レール１８，…，１８は、その始端側から終端側にかけて賞出媒体１２ａが自然流下すべく下方に低くなるよう傾斜させて配設されている。
【００４３】
湾曲整列レール部３５の整列レール１８，…，１８および湾曲整列レール部３５に設けられた各仕切りガイド１６は、その上端縁１６ａが、始端側から終端側に行くに従い賞出媒体１２ａの各整列レール１８，…，１８間の振分けを阻止すべく上方に高くなる傾斜をつけて延設されている。
【００４４】
即ち、湾曲整列レール部３５の各仕切りガイド１６の上端縁１６ａの高さは、取込ステージ１４の底面部の高さと同じであるが、上端縁１６ａの高さは、払出ステージ１９の方向に向かって徐々に高くなるように延設されている。
【００４５】
湾曲整列レール部３５の各整列レール１８，…，１８は、それぞれ取込ステージ１４から流入した賞出媒体１２ａを一列に整列した状態にして計数センサ手段４０に送るものである。湾曲整列レール部３５の終端には、計数センサ手段４０の入口が連通している。
【００４６】
両サイド板１５，１５の終端側の上下には、図１に示すように、計数センサ手段４０が取付けられている。計数センサ手段４０は、受光部（例えば、ホトダイオード）と発光部（例えば、ＬＥＤ）とから成る光学的センサ手段より構成されるもので、湾曲整列レール部３５の各整列レール１８，…，１８の終端側で、各整列レール１８毎に設けられている。なお、この計数センサ手段４０からの出力信号は、図示していない別置の制御装置により処理されて、賞出媒体計数の表示等に利用される。
【００４７】
計数センサ手段４０の終端には、払出ステージ１９の入口１９ａが連通している。また、払出ステージ１９の出口１９ｂは、支持ブラケット６４に揺動可能に支持されている。
【００４８】
なお、払出ステージ１９には、その出口１９ｂに連通する筒状のダンパ部材（図示せず）が連結されてもよい。このダンパ部材（図示せず）は、払出ステージ１９から払い出された賞出媒体１２ａの勢いを減殺して、この賞出媒体１２ａが落下する遊技島の回収樋（図示せず）に穴を開けたりする等のトラブルを防止するためのものである。また、ダンパ部材（図示せず）は、例えば、軟質の合成樹脂等の容易に切断可能な材質から形成されている。それにより、払出ステージ１９の出口１９ｂから遊技島の回収樋（図示せず）までの距離に応じて、ダンパ部材（図示せず）を自由に切断してダンパ部材（図示せず）の長さを調整できるようになっている。
【００４９】
次に、本実施例の作用を説明する。
賞出媒体１２ａを投入すると、賞出媒体１２ａは、図１に示すように、賞出媒体計数器１０の取込ステージ１４に取込まれる。このとき、取込ステージ１４の出口１４ｂと、導入経路１７の始端との間のシャッタ部材２０が閉状態（図１で想像線で示す）であると、賞出媒体１２ａは導入経路１７に流れず、取込ステージ１４内に一時的に貯留されることも可能である。
【００５０】
遊技者の操作や制御装置（図示せず）の指令等に基づき、駆動手段であるロータリーソレノイド（図示せず）によってシャッタ部材２０が閉状態から開状態（図１で実線で示す）に変位すると、図１に示すように、取込ステージ１４内の賞出媒体１２ａが導入経路１７の始端側に流入する。
【００５１】
賞出媒体１２ａは導入経路１７に入ると、導入経路１７の始端から終端に亘り横４列に並列状に配設された各整列レール１８，…，１８上に流れ込む。
【００５２】
取込ステージ１４からランダムに重なって入り込んできた賞出媒体１２ａは、後続する賞出媒体１２ａに押されて導入経路１７の終端に進み、仕切りガイド１６上に乗り上げていた賞出媒体１２ａは、仕切りガイド１６の上端縁１６ａの上り傾斜にしたがって先に進めなくなり、ごく自然に左右の整列レール１８に振分けられる。それにより、各整列レール１８上で賞出媒体１２ａが２段になったり、ブリッジ現象を起こすことがない。
【００５３】
さらに賞出媒体が多段状に流入しても、２段目以上の上層の賞出媒体１２ａは導入経路１７の途中にある揺動体３０に当接し、進行を阻止される。しかも、この際、進行が阻止されるといっても、揺動体３０の揺動によりこの上層の賞出媒体は若干動くことができるので、下層の（１段目の賞出媒体）の移動を妨げることはない。
【００５４】
このようにして、導入経路１７内の賞出媒体１２ａは、レール間の仕切りガイド１６によって振分けられて、賞出媒体１２ａは各整列レール１８，…，１８毎に一列に整列した状態で導入経路１７の終端側に多列状に流下する。それにより、多量の賞出媒体１２ａが横４列をなして、湾曲整列レール部３５の各整列レール１８，…，１８毎に送られる。
【００５５】
賞出媒体１２ａは湾曲整列レール部３５に入ると、湾曲整列レール部３５の始端から終端に亘り横４列に並列状に配設された各整列レール１８，…，１８上に流れ込む。湾曲整列レール部３５の各整列レール１８，…，１８上に流れ込んできた賞出媒体１２ａは、湾曲に沿って計数センサ手段４０に送られる。
【００５６】
本実施例の湾曲整列レール部３５は、導入経路１７からの弾性構造体（主として熊手状のセル板による不正手段）の挿入を阻止可能なように導入経路１７とは略直角方向に湾曲されている。
【００５７】
弾性構造体（熊手状のセル板）とは、熊の手のような形をした板の先端（つまり、指先）に各々発光ダイオードが所定方向に設けられ、これらの発光ダイオードの点滅を操作する制御部が手元に設けられた不正手段である。
【００５８】
このような不正手段としての弾性構造体（熊手状のセル板）を用いた不正に対する湾曲整列レール部３５の不正防止動作を、以下＜不正１に対する不正防止動作＞〜＜不正３に対する不正防止動作＞に、更に具体的に示す。
【００５９】
＜不正１に対する不正防止動作＞  弾性構造体（熊手状のセル板）を挿入し手動で前後に動かして点滅信号（不正信号）を生成して、賞出媒体計数器１０における賞出媒体１２ａの計数を実行するための計数センサ手段４０の発光部（例えば、発光ダイオード）の発光信号（計数信号）を、弾性構造体（熊手状のセル板）の発光ダイオードに生成させた点滅信号（不正信号）に故意にすり替えて、賞出媒体計数器１０を過大にカウントアップさせるようと試みた場合でも、本実施例の湾曲整列レール部３５は、導入経路１７からの弾性構造体（主として熊手状のセル板による不正手段）の挿入を阻止可能なように導入経路１７とは略直角方向に湾曲されているので、弾性構造体（熊手状のセル板）は計数センサ手段４０に到達することができない。
【００６０】
これにより、導入経路から弾性構造体を計数センサ手段４０まで挿入できなくなり、賞出媒体１２ａの計数を過大にカウントアップさせる不正を防止できる。
【００６１】
さらに、遊技場の管理者が巡回し、遊技機毎の遊技状態（例えば、大当り入賞やフィーバ入賞を数）に対する賞出媒体数を観察することなく、不正を監視および発見することが可能となる。
【００６２】
＜不正２に対する不正防止動作＞  弾性構造体（熊手状のセル板）の先端を電気剃刀（シェーバー）等のモータを用いて回転させるようにしたものを用い、不正者は弾性構造体（熊手状のセル板）を賞出媒体計数器１０の整列レール（計数レーン）に沿って、賞出媒体計数器１０の計数センサ手段４０の発光部（例えば、発光ダイオード）まで挿入し、モータのスイッチをＯＮして、弾性構造体（熊手状のセル板）先端の発光ダイオードを回転させて点滅信号（不正信号）を生成させて、点滅信号（不正信号）を賞出媒体計数器１０の計数センサ手段４０の受光部（例えば、ホトダイオード）へ入射させて、自動的に賞出媒体計数器１０の賞出媒体１２ａ計数値を過大にカウントアップさせるようと試みた場合でも、本実施例の湾曲整列レール部３５は、導入経路１７からの弾性構造体（主として熊手状のセル板による不正手段）の挿入を阻止可能なように導入経路１７とは略直角方向に湾曲されているので、弾性構造体（熊手状のセル板）は計数センサ手段４０に到達することができない。
【００６３】
これにより、導入経路から弾性構造体を計数センサ手段４０まで挿入できなくなり、賞出媒体１２ａの計数を過大にカウントアップさせる不正を防止できる。
【００６４】
さらに、遊技場の管理者が巡回し、遊技機毎の遊技状態（例えば、大当り入賞やフィーバ入賞を数）に対する賞出媒体数を観察することなく、不正を監視および発見することが可能となる。
【００６５】
＜不正３に対する不正防止動作＞  弾性構造体（熊手状のセル板）を賞出媒体計数器１０の整列レール（計数レーン）に沿って賞出媒体計数器１０の計数センサ手段４０の発光部（例えば、発光ダイオード）まで挿入し、手元の制御部を用いて弾性構造体（熊手状のセル板）先端の発光ダイオードの点滅速度（単位時間当たりの点滅回数）を調節して点滅信号（不正信号）を生成させて、賞出媒体計数器１０の計数センサ手段４０の受光部への発光信号（計数信号）を弾性構造体（熊手状のセル板）の発光ダイオードの点滅信号（不正信号）に故意にすり替えて、自動的に賞出媒体計数器１０の賞出媒体１２ａ計数値を過大にカウントアップさせるようと試みた場合でも、本実施例の湾曲整列レール部３５は、導入経路１７からの弾性構造体（主として熊手状のセル板による不正手段）の挿入を阻止可能なように導入経路１７とは略直角方向に湾曲されているので、弾性構造体（熊手状のセル板）は計数センサ手段４０に到達することができない。
【００６６】
これにより、導入経路から弾性構造体を計数センサ手段４０まで挿入できなくなり、賞出媒体１２ａの計数を過大にカウントアップさせる不正を防止できる。
【００６７】
さらに、遊技場の管理者が巡回し、遊技機毎の遊技状態（例えば、大当り入賞やフィーバ入賞を数）に対する賞出媒体数を観察することなく、不正を監視および発見することが可能となる。
【００６８】
湾曲整列レール部３５を湾曲に沿って通過した賞出媒体１２ａは、計数センサ手段４０に流れ込む。
【００６９】
計数センサ手段４０へ搬送された賞出媒体１２ａは、受光部（例えば、ホトダイオード）と発光部（例えば、ＬＥＤ）とから成る光学的センサ手段より計数されて賞出媒体計数を生成する。なお、この計数センサ手段４０からの出力信号である賞出媒体計数は、図示していない別置の制御装置により処理されて、賞出媒体計数の表示等に利用される。
【００７０】
計数センサ手段４０の終端まで流下した賞出媒体１２ａは、各整列レール１８，…，１８から排出され、払出ステージ１９に入り、その出口１９ｂからダンパ部材（図示せず）に払い出される。ダンパ部材（図示せず）に落ちた賞出媒体１２ａは、遊技島の回収樋（図示せず）に投入される。
【００７１】
なお、本実施例では、導入経路１７の始端から終端に亘って、横４列の整列レール１８を相互に並列させて配設しが、整列レール１８の数はこれに限るものではなく、さらに多列状に配してもよいものである。
【００７２】
【発明の効果】
本発明に係る賞出媒体計数器によれば、計数センサ手段に到達不可能な程度の略直角方向に湾曲している湾曲整列レール部を、導入経路の終端側に各整列レール毎に対応させて設けることによって、故意に弾性構造体を導入経路から挿入させて計数センサ手段による媒体計数の過大カウントアップをさせる不正行為を防止できる。
【図面の簡単な説明】
【図１】  本発明の一実施例である賞出媒体計数器の平面図である。
【符号の説明】
１０…賞出媒体計数器
１２ａ…賞出媒体
１４…取込ステージ
１６…仕切りガイド
１７…導入経路
１８…整列レール
２０…シャッタ部材
３０…揺動体
３５…湾曲整列レール部
４０…計数センサ手段
５０…ダンパ部材
【図１】
0003798040.tif 000002